(57)【要約】【課題】  複数の画像処理を行った複数の放射線画像を関連付けて記憶することができる放射線撮影システムを提供することを提供する。【解決手段】  放射線に基づく放射線画像を取得する画像取得部２００と、特定の撮影手技に対して複数の画像処理を設定する画像処理設定部２０４と、特定の撮影手技で取得された放射線画像に対して、画像処理設定部２０４で設定された複数の画像処理を行ない、複数の放射線画像を生成する画像処理部２０２と、画像処理部２０２で生成された複数の放射線画像を関連付けるか否かを設定する関連付け設定部２０８とを備える。【選択図】  図２
2020069326.tif 000002
【特許請求の範囲】
【請求項１】
放射線に基づく放射線画像を取得する画像取得部と、
特定の撮影手技に対して複数の画像処理を設定する画像処理設定部と、
前記特定の撮影手技で取得された放射線画像に対して、前記画像処理設定部で設定された複数の画像処理を行ない、複数の放射線画像を生成する画像処理部と、前記画像処理部で生成された複数の放射線画像を関連付けるか否かを設定する関連付け設定部とを備えることを特徴とする放射線撮影システム。
【請求項２】
前記関連付け設定部は、複数の画像処理が行われて生成された複数の放射線画像を関連付ける場合、複数の画像処理が行われて生成された複数の放射線画像に対して同じ付帯情報を付与することを特徴とする請求項１に記載の放射線撮影システム。
【請求項３】
前記関連付け設定部は、複数の画像処理が行われて生成された複数の放射線画像を関連付けない場合、複数の画像処理が行われて生成された複数の放射線画像に対して異なる付帯情報を付与することを特徴とする請求項１に記載の放射線撮影システム。
【請求項４】
前記画像処理設定部は、撮影手技ごとに画像処理の種類を設定することを特徴とする請求項１に記載の放射線撮影システム。
【請求項５】
前記画像処理部で生成された放射線画像を表示部に表示させる表示制御部を備え、
前記表示制御部は、複数の画像処理で生成した複数の放射線画像を同じグループにするか否かを設定する関連付け設定アイコンを前記表示部に表示させることを特徴とする請求項１に記載の放射線撮影システム。
【請求項６】
前記表示制御部は、１つの放射線画像に対して、複数の画像処理が行われる場合に関連付け設定アイコンの設定が有効になることを特徴とする請求項１に記載の放射線撮影システム。
【請求項７】
前記画像処理部は、前記放射線画像に対して、白黒反転処理とじん肺用処理との少なくとも１つの処理を行ない、複数の放射線画像を生成することを特徴とする請求項１に記載の放射線撮影システム。
【請求項８】
前記放射線画像を記憶する複数の記憶装置を備え、前記関連付け設定部は、前記記憶装置ごとに複数の放射線画像の関連付けを設定することを特徴とする請求項１に記載の放射線撮影システム。
【請求項９】
被検者の検査オーダに含まれる撮影手技と、複数の画像処理が設定された特定の撮影手技とが一致するか否かを判定する判定手段を備え、
被検者の検査オーダに含まれる撮影手技と、前記特定の撮影手技とが一致する場合、前記画像処理部は、放射線画像に対して複数の画像処理を行ない、複数の放射線画像を生成することを特徴とする請求項１に記載の放射線撮影システム。
【請求項１０】
放射線に基づく放射線画像を取得する画像取得部と、
特定の撮影手技に対して複数の画像処理を設定する画像処理設定部と、
前記特定の撮影手技で取得された放射線画像に対して、前記画像処理設定部で設定された複数の画像処理を行ない、複数の放射線画像を生成する画像処理部と、前記画像処理部で生成された複数の放射線画像を関連付ける関連付け設定部とを備えることを特徴とする放射線撮影システム。
【請求項１１】
放射線に基づく放射線画像を取得するステップと、
特定の撮影手技に対して複数の画像処理を設定するステップと、
前記特定の撮影手技で取得された放射線画像に対して複数の画像処理を行ない、複数の放射線画像を生成するステップと、
複数の画像処理が行われて生成された複数の放射線画像を関連付けるか否かを設定するステップとを有することを特徴とする放射線撮影方法。
【請求項１２】
放射線に基づく放射線画像を取得するステップと、
特定の撮影手技に対して複数の画像処理を設定するステップと、
前記特定の撮影手技で取得された放射線画像に対して複数の画像処理を行ない、複数の放射線画像を生成するステップと、
複数の画像処理が行われて生成された複数の放射線画像を関連付けるステップとを有することを特徴とする放射線撮影方法。
【請求項１３】
放射線に基づく放射線画像を取得する画像取得部と、
特定の撮影手技に対して複数の画像処理を設定する画像処理設定部と、
前記特定の撮影手技で取得された放射線画像に対して、前記画像処理設定部で設定された複数の画像処理を行ない、複数の放射線画像を生成する画像処理部と、
前記画像処理部で生成された複数の放射線画像を関連付けるか否かを設定する関連付け設定部とを備えることを特徴とする制御装置。
【請求項１４】
放射線に基づく放射線画像を取得する画像取得部と、
特定の撮影手技に対して複数の画像処理を設定する画像処理設定部と、
前記特定の撮影手技で取得された放射線画像に対して、前記画像処理設定部で設定された複数の画像処理を行ない、複数の放射線画像を生成する画像処理部と、
前記画像処理部で生成された複数の放射線画像を関連付ける関連付け設定部とを備えることを特徴とする制御装置。
【請求項１５】
請求項１１又は請求項１２の放射線撮影方法をコンピュータに実行させるためのプログラム。
【発明の詳細な説明】
【技術分野】
【０００１】
本発明は、放射線撮影システム、放射線撮影方法、制御装置及びプログラムに関し、特に放射線画像に複数の画像処理を適用することに関する。
【背景技術】
【０００２】
近年、病院では、ネットワークによる病院情報システムが構築されている。例えば、被検者の放射線撮影が必要と判断されると、ＨＩＳ（Ｈｏｓｐｉｔａｌ  Ｉｎｆｏｒｍａｔｉｏｎ  Ｓｙｓｔｅｍ）端末より検査指示の入力が行われ、依頼先である放射線部門に検査オーダが伝達される。  
【０００３】
放射線撮影システムは、検査オーダに従って放射線撮影を実行する。撮影された放射線画像は、ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍｓ）への転送やプリント出力が行われる。また、撮影された放射線画像に対して複数の画像処理が行われることがある。例えば、じん肺検査の場合は、通常の画像処理とは別に、じん肺用に決められた画像処理が適用される。（例えば、特許文献１）
【先行技術文献】
【特許文献】
【０００４】
【特許文献１】特開２０１３−２０８３９６号公報
【発明の概要】
【発明が解決しようとする課題】
【０００５】
しかしながら、上記特許文献では、放射線画像は検査オーダと関連付けられて記憶されているが、複数の画像処理を行った複数の放射線画像がそれぞれ関連付けられていない。そのため、操作者は、複数の画像処理が行われた複数の放射線画像を関連付けて読み出すことができなかった。
【０００６】
そこで本発明は、複数の画像処理を行った複数の放射線画像を関連付けて記憶することができる放射線撮影システムを提供することを目的とする。
【課題を解決するための手段】
【０００７】
本発明の目的を達成するために、放射線撮影システム（制御装置）は、放射線に基づく放射線画像を取得する画像取得部と、特定の撮影手技に対して複数の画像処理を設定する画像処理設定部と、前記特定の撮影手技で取得された放射線画像に対して、前記画像処理設定部で設定された複数の画像処理を行ない、複数の放射線画像を生成する画像処理部と、前記画像処理部で生成された複数の放射線画像を関連付けるか否かを設定する関連付け設定部とを備える。
【発明の効果】
【０００８】
本発明によれば、複数の画像処理を行った複数の放射線画像を関連付けて記憶することができる。
【図面の簡単な説明】
【０００９】
【図１】本発明の放射線撮影システムの全体構成を示す図。
【図２】本発明の放射線撮影システムにおける制御部の構成を示す図。
【図３】本発明の放射線撮影システムにおける画像処理設定部と関連付け設定部の設定画面の一例を示す図。
【図４】本発明の放射線撮影システムにおける撮影前の表示画面の一例を示す図。
【図５】本発明の放射線撮影システムにおける撮影後の表示画面の一例を示す図。
【図６】本発明の放射線撮影システムにおける撮影後の表示画面の一例を示す図。
【図７】本発明の放射線撮影システムにおける出力形態の一例を示す図。
【図８】本発明の放射線撮影システムにおける放射線画像の記憶形態の一例を示す図。
【図９】本発明の放射線撮影システムにおける放射線画像の記憶形態の一例を示す図。
【図１０】本発明の放射線撮影システムの動作を示すフローチャート。
【図１１】本発明の放射線撮影システムにおける出力形態の一例を示す図。
【図１２】本発明の放射線撮影システムにおける画像処理設定部と関連付け設定部の設定画面の一例を示す図。
【発明を実施するための形態】
【００１０】
以下、添付図面を参照して本発明の好適な実施形態について説明する。
【実施例１】
【００１１】
本発明の実施例１について、図１〜１０を用いて説明する。図１に示すように、撮影室には、２組の放射線発生部と撮影台が設置されている。撮影室には、放射線を発生させる放射線発生部１００と、被検者１０６を透過した放射線を検出する放射線検出装置１０２と、放射線検出装置１０２を支持する撮影台１０４が設置されている。撮影台１０４は、立位の撮影台である。同様にして、放射線を発生させる放射線発生部１１０と、被検者１１６を透過した放射線を検出する放射線検出装置１１２と、放射線検出装置１１２を支持する撮影台１１４が設置されている。撮影台１１４は、臥位の撮影台である。
【００１２】
放射線撮影システムは、制御部１２０に接続され、放射線画像や各種情報を表示する表示部１２４と、操作者が操作を行う操作部１２２と、放射線発生部１００、１１０に対して撮影条件（管電圧、管電流、照射時間）を設定したり、放射線検出装置１０２、１１２から出力される放射線画像の画像処理を行ったり、各種制御を行う制御部１２０とを備えている。制御部１２０は、表示部１２４の表示制御部として機能する。
【００１３】
制御部１２０は、ネットワーク１３０を介して、検査オーダを制御部１２０に伝達するＲＩＳ（Ｒａｄｉｏｌｏｇｙ  Ｉｎｆｏｒｍａｔｉｏｎ  Ｓｙｓｔｅｍ）１３２と、放射線画像を管理するＰＡＣＳ１３４と、検査の進捗を管理するＨＩＳ１３６に接続されている。
【００１４】
病院における放射線部門は、ＲＩＳ１３２にて検査オーダを受信すると、放射線撮影に関する撮影情報（撮影条件、撮影手技など）を付加し、制御部１２０へ伝達する。制御部１２０は、受信した検査オーダに従って放射線撮影を実行する。そして、制御部１２０は、撮影された放射線画像に検査オーダを含む付帯情報を付与して出力する。
【００１５】
ＰＡＣＳ１３４は、画像管理を主目的としたサーバである。放射線画像と付帯情報を記憶する記憶装置を備えている。ＰＡＣＳ１３４と接続された高精細モニタによって、放射線画像の検像作業や詳細な後処理、診断作業などが実行される。このように、制御部１２０から出力された放射線画像はＰＡＣＳ１３４へ伝達される。
【００１６】
ＨＩＳ１３６は、病院管理システムであり、会計情報を管理するサーバを含んでいる。放射線撮影を行う場合、操作者はＨＩＳ１３６の端末より検査指示を入力する。そして、ＨＩＳ１３６から依頼先である病院の放射線部門に伝達する。この依頼情報を検査オーダという。検査オーダには依頼元の部門名や、検査項目、被検者の個人データなどが含まれる。放射線撮影システムにおける検査の実行情報は、ＨＩＳ１３６へ伝達される。ＨＩＳ１３６へ伝達された実行情報は、検査の進捗管理以外に、検査後の会計処理にも用いられる。
【００１７】
制御部１２０と、ＲＩＳ１３２と、ＰＡＣＳ１３４と、ＨＩＳ１３６の間は、例えば、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）等で構成されるネットワーク１３０を介して接続される。
【００１８】
なお、これらの装置には、１又は複数のコンピュータが含まれる。コンピュータには、例えば、ＣＰＵ等の主制御部、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等の記憶装置が備えられている。また、コンピュータには、ネットワークカード等の通信部、キーボード、ディスプレイ又はタッチパネル等の入出力部等、が備えられていてもよい。これら各構成部は、バス等により接続され、主制御部が記憶装置に記憶されたプログラムを実行することで制御される。
【００１９】
制御部１２０は、放射線発生部１００、１１０に接続されている。具体的には、制御部１２０は、放射線発生部１００、１１０と有線または無線のネットワークもしくは専用線で接続されている。制御部１２０は、放射線発生部１００、１１０における放射線の撮影条件を設定して、放射線発生部１００、１１０による放射線の発生を制御する。放射線発生部１００、１１０は、放射線を発生する放射線源として機能する。放射線発生部１００、１１０は、例えば、Ｘ線管球により実現され、被検者１０６、１１６（例えば、被検者の特定部位）に向けて放射線を照射する。
【００２０】
放射線発生部１００、１１０は、所望の照射範囲に放射線を照射することができる。放射線発生部１００、１１０は、床面又は天井に設置された支持部を介して設置されている。放射線発生部１００、１１０の照射面には、放射線を遮蔽する絞り（図示しない。）が設置されている。操作者は、放射線を遮蔽する絞りを制御することにより、放射線発生部１００、１１０から照射される放射線の照射範囲を設定することができる。
【００２１】
放射線撮影システムは、放射線発生部１００、１１０から照射される放射線を検出する放射線検出装置１０２、１１２を備えている。放射線検出装置１０２、１１２は、被検者１０６、１１６を通過した放射線を検出し、放射線に応じた画像データを出力するものである。なお、画像データは、放射線画像と言い換えて表現することもできる。
【００２２】
具体的には、放射線検出装置１０２、１１２は、被検者１０６、１１６を透過した放射線を、透過放射線量に相当する電荷として検出する。例えば、放射線検出装置１０２、１１２には、放射線を電荷に変換するａ−Ｓｅなどの放射線を直接的に電荷に変換する直接変換型センサや、ＣｓＩなどのシンチレータとａ−Ｓｉなどの光電変換素子を用いた間接型センサが用いられる。さらに、放射線検出装置１０２、１１２は、検出された電荷をＡ／Ｄ変換することにより、放射線画像を生成し、制御部１２０へ出力する。
【００２３】
操作部１２２は、放射線撮影システムを操作する。操作部１２２は、例えば、マウスや操作アイコン等で構成され、操作者からの各種指示を各構成要素に入力する。表示部１２４は、例えば、液晶ディスプレイ等で実現され、各種情報を操作者（撮影技師、医師）に向けて表示する。なお、表示部１２４と操作部１２２は、それらが一体となったタッチパネルとして実現されてもよい。
【００２４】
制御部１２０は、放射線検出装置１０２、１１２に接続されている。具体的には、制御部１２０は、放射線検出装置１０２、１１２と有線または無線のネットワークもしくは専用線で接続されている。放射線検出装置１０２、１１２は、放射線発生部１００、１１０から照射された放射線を撮影し、放射線画像を制御部１２０に出力する。制御部１２０は、コンピュータ上で動作するアプリケーション機能を有している。制御部１２０は、放射線検出装置１０２、１１２の動作を制御するとともに、表示部１２４へ放射線画像を出力したり、グラフィカルユーザーインターフェース（ＧＵＩ）を出力したりする。制御部１２０は、放射線検出装置１０２、１１２から出力された放射線画像に対して、ノイズ除去、階調処理、強調処理などの画像処理を行う機能を有している。また、制御部１２０は、放射線検出装置１０２、１１２から出力された放射線画像に対してトリミングや回転といった画像処理を行うこともできる。表示部１２４は、制御部１２０から出力される放射線画像を表示する。
【００２５】
ここで、図２を用いて、制御部１２０の詳細を説明する。図２に示すように、制御部１２０は、放射線検出装置１０２、１１２から出力される放射線画像（画像データ）を取得する画像取得部２００と、画像取得部２００で取得された放射線画像に対して画像処理を行う画像処理部２０２と、画像処理部２０２において行われる画像処理を設定する画像処理設定部２０４と、画像処理設定部２０４において画像処理された放射線画像を外部装置（ＰＡＣＳ（記憶装置））に出力する出力部２０６と、画像処理部２０２で画像処理された複数の放射線画像を関連付ける関連付け設定部２０８とを備えている。制御部１２０は、メモリ（ＲＯＭ，ＲＡＭ）に格納されたプログラムをコンピュータが各種処理を実行する構成となっている。
【００２６】
制御部１２０は、画像処理部２０２から出力された放射線画像を表示部１２４に表示させる。表示部１２４は、画像処理部２０２で画像処理が行われ、画像処理部２０２から出力された放射線画像を表示する。また、表示部１２４は、画像処理設定部２０４における画像処理に関する設定情報、関連付け設定部２０８における関連付けに関する設定情報を表示することもできる。そのため、操作者は、画像処理部２０２ではどのような画像処理が行われるのか、出力部２０６では放射線画像がどこへ出力されるのかを把握することができる。そして、操作者は、操作部１２２を介して、画像処理設定部２０４における画像処理の設定情報、関連付け設定部２０８における関連付けの設定情報を操作することができる。
【００２７】
ＰＡＣＳ（記憶装置）１３４は、出力部２０６から出力された放射線画像を記憶する。ＰＡＣＳ（記憶装置）１３４は、画像処理部２０２によって複数の画像処理が行われた複数の放射線画像を記憶する。ＰＡＣＳ（記憶装置）１３４は、画像処理情報、被検者情報などとともに放射線画像を記憶することもできる。
【００２８】
画像処理部２０２は、画像処理設定部２０４で設定された画像処理情報に基づいて、放射線画像に対して複数の画像処理を行うことができる。つまり、画像処理部２０２は、１つの放射線画像に対する画像処理の種類を設定（追加）することができる。例えば、画像処理部２０２は、１つの放射線画像に対して通常の画像処理と、白黒反転処理と、じん肺用処理とを行ない、複数の放射線画像を生成する。通常の画像処理は、画像取得部２００から出力される放射線画像に対して画素値を濃度（輝度）に変換する階調変換等を行う処理である。白黒反転処理は、通常の画像処理で生成された放射線画像に対して濃度（輝度）の白黒を反転させる処理である。白黒反転処理は、通常の画像処理で生成された放射線画像の黒色で表示される領域における白色、灰色の部分を強調するのに有効な処理である。じん肺用処理は、通常の画像処理を適用した放射線画像とは別に、じん肺用に予め定められた画像処理を適用して放射線画像を生成する処理である。具体的には、じん肺用処理は、通常の画像処理と比べて、周波数成分ごとの階調変換、輝度、コントラスト、エッジ強調、ノイズ除去に関する画像処理パラメータが異なる。
【００２９】
なお、通常の画像処理を第１の画像処理とし、白黒反転処理と、じん肺用処理などの画像処理を第２の画像処理として言い換えることもできる。つまり、画像処理部２０２は、１つの放射線画像に対して、第１の画像処理（通常の画像処理）と第２の画像処理（追加された画像処理）を行ない、複数の放射線画像を生成することができる。
【００３０】
本実施形態では、画像処理部２０２は、通常の画像処理を行った放射線画像は残したまま、白黒反転処理、じん肺用処理を適用し、複数の放射線画像を生成する。つまり、画像処理部２０２によって、通常の画像処理が行われた放射線画像と、白黒反転処理とじん肺用処理の少なくとも１つの処理が行われた放射線画像が生成される。
【００３１】
画像処理部２０２は、撮影手技ごとに１つまたは複数の画像処理パラメータを記憶している。例えば、胸部正面における撮影、胸部側面における撮影、腹部正面における撮影、腹部側面における撮影などの撮影ごとに、１つまたは複数の画像処理パラメータが記憶されている。胸部正面における撮影では、通常の画像処理、白黒反転処理、じん肺用処理に関する３種類の画像処理パラメータが記憶される。腹部正面における撮影では、じん肺用処理は不要であるため、通常の画像処理、白黒反転処理に関する２種類の画像処理パラメータが記憶される。なお、操作者は、画像処理設定部２０４を介して、撮影手技ごとに画像処理を設定することができる。
【００３２】
関連付け設定部２０８は、複数の画像処理された複数の放射線画像を関連付けるか否かの設定を行う。関連付け設定部２０８は、複数の画像処理された複数の放射線画像に対して所定のグループを設定するグループ設定部と言い換えることもできる。画像処理部２０２によって、１つの放射線画像に対して、第１の画像処理（通常の画像処理）と第２の画像処理（追加された画像処理）を行ない、複数の放射線画像が生成されている。関連付け設定部２０８は、１つの放射線画像に対して、複数の画像処理が行われて生成された複数の放射線画像を関連付けることができる。複数の画像処理が行われて生成された複数の放射線画像におけるオリジナル画像（原画像）は同じであるため、このような関連付けが有効になる。
【００３３】
具体的には、関連付け設定部２０８は、複数の画像処理が行われて生成された複数の放射線画像を関連付ける場合、複数の画像処理が行われて生成された複数の放射線画像に対して同じ付帯情報（タグ）を付与する。つまり、１つの放射線画像に対して、第１の画像処理（通常の画像処理）と第２の画像処理（追加された画像処理）を行われて生成された複数の放射線画像に対して同じ付帯情報（タグ）を付与することができる。
【００３４】
また、関連付け設定部２０８は、複数の画像処理されて生成された複数の放射線画像を関連付けない設定を行うこともできる。関連付け設定部２０８は、複数の画像処理が行われて生成された複数の放射線画像を関連付けない場合、複数の画像処理が行われて生成された複数の放射線画像に対して異なる付帯情報（タグ）を付与することになる。
【００３５】
図３は、表示部１２４に表示される画像処理設定部２０４と関連付け設定部２０８の設定画面を示す。画像処理設定部２０４と関連付け設定部２０８の設定画面は、表示部１２４に表示される。操作部１２２によって、各種アイコンが選択され、実行される。
【００３６】
図３に示すように、複数の画像処理編集のメニュー３００には、撮影手技（プロトコル名、センサ名）３０２、当該撮影手技において設定可能な画像処理を選択する画像処理アイコン３０４、３０６、選択した画像処理アイコンを削除する削除アイコン３０８、当該撮影手技における複数の画像処理と関連付け編集内容を確定するＯＫアイコン３１０、当該撮影手技における複数の画像処理と関連付け編集をキャンセルするキャンセルアイコン３１２が表示される。
【００３７】
関連付け編集のメニュー３１４には、複数の画像処理で生成した複数の放射線画像を同じグループにするか否かを設定する関連付け設定アイコン３１６が表示される。
【００３８】
複数の画像処理編集のメニュー３００には、追加する画像処理に関する画像処理アイコン３０４、３０６が表示される。通常の画像処理に関する画像処理アイコンは表示されない。通常の画像処理は、全ての放射線画像に対して実行するため、選択する必要がないからである。
【００３９】
本実施形態では、撮影手技（プロトコル名、センサ名）３０２として、プロトコル名：胸部正面、センサ名：センサＡが表示されている。操作者は、操作部１２２を介して、撮影手技（プロトコル名とセンサ名）を任意に変更することができる。そして、画像処理設定部２０４は、撮影手技ごとに画像処理の種類を設定することができる。画像処理設定部２０４において設定された画像処理情報は、画像処理部２０２に伝達される。
【００４０】
図３に示される撮影手技では、じん肺用処理を実行するためのアイコン３０４と、白黒反転処理を実行するためのアイコン３０６が表示される。操作者は、じん肺用処理を実行するためのアイコン３０４を押すことにより、画像処理部２０２に対して、通常の画像処理を適用した放射線画像とは別に、じん肺用に予め決められた画像処理を適用して放射線画像を生成させることができる。じん肺用処理を実行するためのアイコン３０４が押されると、アイコン３０４の表示形態（例えば、アイコン３０４の色、枠など）が変わる。操作者は、じん肺用処理を実行するためのアイコン３０４が押されたことを把握することができる。
【００４１】
また、操作者は、白黒反転処理を実行するためのアイコン３０６を押すことにより、画像処理部２０２に対して、通常の画像処理で生成された放射線画像に対して濃度（輝度）の白黒を反転させる処理を適用して放射線画像を生成させることができる。白黒反転処理を実行するためのアイコン３０６が押されると、アイコンの表示形態（例えば、アイコンの色、枠など）が変わる。操作者は、白黒反転処理を実行するためのアイコン３０６が押されたことを把握することができる。例えば、図３に示すアイコン３０４、３０６の表示形態では、じん肺用処理を実行するためのアイコン３０４と白黒反転処理を実行するためのアイコン３０６の色が変化している。操作者は、ぞれぞれのアイコン３０４、３０６に対応する画像処理が選択されていることを把握することができる。
【００４２】
本実施形態では、胸部正面における撮影において、じん肺用処理と白黒反転処理を選択することができることを説明したが、これらの処理に限らず、ノイズ低減処理、エッジ強調処理、上下反転処理、左右反転処理、拡大処理、縮小処理など様々な画像処理を選択することができる。
【００４３】
関連付け編集のメニュー３１４は、撮影手技（プロトコル名、センサ名）毎に設定される。本実施形態では、図３に示すように、プロトコル名：胸部正面、センサ名：センサＡにおいて撮影される放射線画像に対して、複数の画像処理が行われる場合に、複数の画像処理で生成された複数の放射線画像を関連付けるか否かを設定することができる。
【００４４】
関連付け編集のメニュー３１４は、１つの放射線画像に対して、複数の画像処理が行われる場合に関連付け設定アイコン３１６の設定が有効になる。本実施形態では、図３に示すように、じん肺用処理を実行するためのアイコン３０４を押された場合、若しくは、白黒反転処理を実行するためのアイコン３０６が押された場合、関連付け編集のメニュー３１４の機能（関連付け設定アイコン３１６の設定）が有効になる。
【００４５】
関連付け編集のメニュー３１４には、複数の画像処理で生成された複数の放射線画像を同じグループにするか否かを設定する関連付け設定アイコン３１６が表示される。じん肺用処理を実行するためのアイコン３０４を押された場合、若しくは、白黒反転処理を実行するためのアイコン３０６が押された場合、関連付け編集のメニュー３１４における当該関連付け設定アイコン３１６の設定が有効となる。
【００４６】
関連付け設定アイコン３１６にチェックを入れると、複数の画像処理で生成された複数の放射線画像を関連付けて、同じグループにするという設定が有効になる。関連付け設定アイコン３１６にチェックを外すと、複数の画像処理で生成された複数の放射線画像を関連付けず、別のグループにするという設定となる。そして、操作者は、当該撮影手技における複数の画像処理と関連付け編集内容を確定するＯＫアイコン３１０を押すことにより、当該設定が有効になる。
【００４７】
図３では、じん肺用処理を実行するためのアイコン３０４を押され、白黒反転処理を実行するためのアイコン３０６が押され、胸部正面における撮影において、じん肺用処理と白黒反転処理が選択されている。通常の画像処理で生成された放射線画像に対して、じん肺用に予め決められた画像処理を適用して放射線画像と濃度（輝度）の白黒を反転させる処理を適用して放射線画像が生成される。関連付け設定アイコン３１６にチェックが入れられているため、複数の画像処理で生成された複数の放射線画像を関連付けて、同じグループにするという設定が有効になる。そのため、通常の画像処理で生成された放射線画像と、じん肺用に予め決められた画像処理を適用して放射線画像と、濃度（輝度）の白黒を反転させる処理を適用して放射線画像が関連付けられる。すなわち、通常の画像処理で生成された放射線画像と、じん肺用に予め決められた画像処理を適用して放射線画像と、濃度（輝度）の白黒を反転させる処理を適用して放射線画像に同じ付帯情報（タグ）を付与することができる。
【００４８】
胸部正面における撮影において、じん肺用処理のみが選択されている場合、通常の画像処理で生成された放射線画像に対して、じん肺用に予め決められた画像処理を適用して放射線画像が生成される。そして、関連付け設定アイコン３１６にチェックが入れられていると、複数の画像処理で生成された複数の放射線画像を関連付けて、同じグループにするという設定が有効になる。そのため、通常の画像処理で生成された放射線画像と、じん肺用に予め決められた画像処理を適用して放射線画像とが関連付けられる。通常の画像処理で生成された放射線画像と、じん肺用に予め決められた画像処理を適用して放射線画像に同じ付帯情報（タグ）を付与することができる。つまり、複数の画像処理編集メニューで選択された画像処理によって生成された複数の放射線画像に対して同じ付帯情報（タグ）を付与することができる。
【００４９】
なお、関連付け設定アイコン３１６は、上述した設定機能を逆にしてもよい。例えば、複数の画像処理で生成された複数の放射線画像を別のグループにするか否かを設定するようになっていてもよい。その場合、関連付け設定アイコン３１６にチェックを入れると、複数の画像処理で生成された複数の放射線画像を関連付けず、別のグループにするという設定が有効になる。関連付け設定アイコン３１６にチェックを外すと、複数の画像処理で生成された複数の放射線画像を関連付けて、同じグループにするという設定が有効になる。
【００５０】
図４は、撮影前の表示部１２４の表示画面を示す。制御部１２０は、表示部１２４の表示画面を制御することができる。表示部１２４の表示画面には、放射線画像を表示するための画像表示領域４００がある。表示部１２４の表示画面には、放射線検出装置１０２、１１２のステータスを表示するためのステータス表示領域４０２、シングルビューアイコン４０４、マルチビューアイコン４０６、フレームビューアイコン４０８がある。
【００５１】
表示部１２４の表示画面には、被検者情報を表示するための被検者表示領域４１０、検査情報を表示するための検査情報表示領域４１２がある。検査情報表示領域４１２には、撮影手技を表示して実行するための撮影手技アイコン４１４、４４０、当該撮影手技に複数の画像処理があることを表示するための複数の画像処理に関する表示領域４１６がある。撮影手技アイコン４１４、４４０は、撮影プロトコルと言い換えることもできる。
【００５２】
また、表示部１２４の表示画面には、順序繰り上げアイコン４１８、順序繰り下げアイコン４２０、検査編集アイコン４２２、画像処理アイコン４２４、計測アイコン４２６、アノテーション編集アイコン４２８、検査保留アイコン４３０、画像出力アイコン４３２、検査終了アイコン４３４がある。
【００５３】
画像表示領域４００には、撮影した放射線画像が表示される。撮影後に表示対象を切り替えた場合は選択された放射線画像が表示される。必要に応じて、画像表示領域４００には、被検者情報、検査情報、撮影条件などが表示されてもよい。
【００５４】
ステータス表示領域４０２は、放射線検出装置１０２、１１２のステータスを操作者が判別し易いように、色や文字を区別して表示する領域である。なお、図１に示すように、放射線撮影システムでは、２つの放射線検出装置１０２、１１２が設置されているため、放射線検出装置１０２、１１２のそれぞれのステータスを表示するためのステータス表示領域４０２を表示してもよい。
【００５５】
放射線検出装置１０２、１１２からステータスを受信した制御部１２０は、表示部１２４に対してステータスを伝達する。例えば、放射線検出装置１０２、１１２が検出不可能な場合は、ステータス表示領域４０２に「Ｎｏｔ  Ｒｅａｄｙ」が表示される。また、放射線検出装置１０２、１１２が検出可能である場合は、ステータス表示領域４０２に「Ｒｅａｄｙ」が表示される。「Ｒｅａｄｙ」の背景色は、「Ｎｏｔ  Ｒｅａｄｙ」の背景色と識別可能な色に変更される。
【００５６】
シングルビューアイコン４０４は、画像表示領域４００に選択されている放射線画像の１フレームを表示するシングルビューへ切り替えるアイコンである。複数フレームの画像の場合、プレビュー表示中に操作部１２２の操作によって別フレームの表示や動画再生も可能である。マルチビューアイコン４０６は、画像表示領域４００を格子状の複数表示領域に区切り、実行中の検査内で撮影された画像群を並列表示するマルチビューへ切り替えるアイコンである。フレームビューアイコン４０８は、画像表示領域４００を格子状の複数表示領域に区切り、動画のフレーム画像群を並列表示するフレームビューへ切り替えるアイコンである。
【００５７】
被検者表示領域４１０は、被検者名、被検者ＩＤ、生年月日、性別といった被検者情報が表示される領域である。また、検査情報表示領域４１２には、撮影に関する検査ＩＤと、撮影手技を含む撮影手技アイコン４１４、４４０が表示される。撮影手技アイコン４１４、４４０には、撮影手技の名称、放射線検出装置の名称等を含む撮影手技と、撮影を実行した場合は放射線画像のサムネイルが表示される。また、撮影を実行する前の場合は撮影姿勢を示すサムネイルが表示される。撮影姿勢を示すサムネイルには、放射線検出装置１０２、１１２を支持する撮影台１０４、１１４に関する情報が含まれる。よって、操作者は、サムネイルの表示内容を確認することにより、当該撮影手技による撮影が実行されたか否かを把握することができる。
【００５８】
本実施形態では、撮影手技アイコン４１４に関する撮影手技（胸部正面）において、撮影手技アイコン４１４に関する撮影手技で撮影された放射線画像に対して複数の画像処理が実行されることとなっている。また、撮影手技アイコン４４０に関する撮影手技では、撮影手技アイコン４４０に関する撮影手技（頭部正面）で撮影された放射線画像に対して複数の画像処理が実行されず、通常の画像処理のみが実行されることとなっている。つまり、撮影手技アイコン４１４、４４０は、複数の画像処理が実行される場合と、複数の画像処理が実行されない場合とを区別できるように表示される。
【００５９】
複数の画像処理が実行される撮影手技アイコン４１４には、複数の画像処理に関する表示領域４１６が表示される。複数の画像処理に関する表示領域４１６には、複数の画像処理が実行されることを示す複数画像処理アイコン４４２と、複数の画像処理が実行されることを示す文字情報４４４が表示される。文字情報４４４は、例えば「複数画像処理」と表示される。複数画像処理アイコン４４２については、左側の画像が１つの放射線画像を示し、右側の画像が複数の放射線画像（例えば、３枚）が生成されることを示している。つまり、複数画像処理アイコン４４２は、１つの放射線画像に対して複数の画像処理を実行して複数の放射線画像を生成することを示している。複数の画像処理が実行される撮影手技アイコン４１４は、複数の画像処理に関する表示領域４１６が内部に表示されるため、複数の画像処理が実行されない撮影手技アイコン４４０よりもサイズが大きく表示される。なお、複数の画像処理が実行される撮影手技アイコン４１４は、色や形状の表示形態を変更してもよく、操作者が複数の画像処理が実行される撮影手技アイコンであるか否かを把握できるようになっていればよい。
【００６０】
このように、制御部１２０は、特定の撮影手技に対応する撮影手技アイコン４１４に複数の画像処理に関する情報を表示部１２４に表示させる。よって、表示部１２４は、特定の撮影手技（胸部正面）に対応する撮影手技アイコン４１４に複数の画像処理に関する情報を表示することができる。
【００６１】
また、制御部１２０は、複数の画像処理が実行されることを示す画像処理アイコン４４２と複数の画像処理が実行されることを示す文字情報４４４のいずれか一方を表示部１２４に表示させる。表示部１２４は、複数の画像処理が実行されることを示す複数画像処理アイコン４４２と複数の画像処理が実行されることを示す文字情報４４４のいずれか一方を表示することができる。
【００６２】
また、画像処理設定部２０４によって、通常の画像処理の他に、白黒反転処理、じん肺用処理などの画像処理が設定されている場合、複数の画像処理に関する表示領域４１６に複数の画像処理が設定されたことが表示される。具体的には、画像処理設定部２０４によって、胸部正面の撮影手技に対して複数の画像処理が設定されると、制御部１２０は胸部正面の撮影手技に対して複数の画像処理が設定されたことを表示部１２４に伝達する。表示部１２４は、胸部正面の撮影手技の撮影手技アイコン４１４に複数の画像処理に関する表示領域４１６を表示する。
【００６３】
操作者は、複数の画像処理に関する表示領域４１６を見ることにより、撮影手技アイコン４１４に表示される撮影手技に複数の画像処理が設定されていることを把握することができる。ここでは、操作者は、胸部正面の撮影手技には複数の画像処理が設定されていることを把握することができる。そして、操作者は、頭部正面の撮影手技には通常の画像処理のみが設定されていることを把握することができる。
【００６４】
順序繰り上げアイコン４１８は、撮影手技の実行予定順序の繰り上げを指示するアイコンである。順序繰り下げアイコン４２０は、撮影手技の実行予定順序の繰り下げを指示するアイコンである。検査編集アイコン４２２は、例えば、図３に示す画像処理設定部２０４の設定画面、関連付け設定部２０８の設定画面などへの遷移を指示するアイコンである。画像処理アイコン４２４は、画像処理の表示・非表示の切り替えを指示するアイコンである。計測アイコン４２６は、計測操作機能の表示・非表示の切り替えを指示するアイコンである。アノテーション編集アイコン４２８は、アノテーションの表示・非表示の切り替えを指示するアイコンである。検査保留アイコン４３０は、実行中の検査の保留を指示するアイコンである。画像出力アイコン４３２は、実行中の検査に含まれる放射線画像の出力を指示するアイコンである。検査終了アイコン４３４は、少なくとも１つの撮影を含む検査を終了する操作入力を受け付けるアイコンである。
【００６５】
図５は、複数の画像処理が設定された特定の撮影手技による撮影後の表示部１２４の表示画面を示す。図４に示した表示部１２４の表示画面と異なる点は、画像表示領域４００と検査情報表示領域４１２である。
【００６６】
図４では、胸部正面の撮影手技に複数の画像処理が設定されており、複数の画像処理に関する表示領域４１６が表示されていた。
【００６７】
複数の画像処理が設定されている胸部正面の撮影手技が実行されると、図５に示すような表示形態となる。画像表示領域４００には、撮影された放射線画像が表示される。図４に示す胸部正面の撮影手技を示す撮影手技アイコン４１４がそれぞれの画像処理ごとに撮影手技アイコン４５０、４５２、４５４に分解（複製）されて表示される。ここでは、画像処理設定部２０４によって、じん肺用処理、白黒反転処理が設定されているため、通常の画像処理、じん肺用処理、白黒反転処理の３つの撮影手技アイコン４５０、４５２、４５４が表示される。
【００６８】
撮影手技アイコン４５０は通常の画像処理に対応するアイコンである。撮影手技アイコン４５０には、通常の画像処理が行われた放射線画像のサムネイルが表示される。撮影手技アイコン４５２はじん肺用処理に対応するアイコンである。撮影手技アイコン４５２には、通常の画像処理とは異なる画像処理が適用され、複製されたことを示す複製マーク４６０が表示される。撮影手技アイコン４５２には、じん肺用処理が行われた放射線画像のサムネイルが表示される。撮影手技アイコン４５４は白黒反転処理に対応するアイコンである。撮影手技アイコン４５４には、通常の画像処理とは異なる画像処理が適用され、複製されたことを示す複製マーク４６２が表示される。撮影手技アイコン４５４には、白黒反転処理が行われた放射線画像のサムネイルが表示される。
【００６９】
このように、撮影手技アイコン４５２と撮影手技アイコン４５４には、複数の画像処理が適用され、放射線画像が複製されたことを示す複製マーク４６０、４６２が表示される。
【００７０】
また、複数の画像処理に対応する複数の撮影手技アイコンに対して、共通の撮影手技であることを示す識別情報４７０が表示される。識別情報４７０は、複数の撮影手技アイコンを囲うように表示される。操作者は、通常の画像処理に対応する撮影手技アイコン４５０と、じん肺用処理に対応する撮影手技アイコン４５２と、白黒反転処理に対応する撮影手技アイコン４５４が共通の撮影手技であることを把握することができる。なお、識別情報４７０は、共通の撮影手技であることが把握できれば代替可能であり、文字、記号や標識などでもよい。
【００７１】
複数の画像処理が設定された特定の撮影手技の撮影後、画像表示領域４００には、撮影手技アイコン４５０、４５２、４５４の内、最も下に位置する撮影手技アイコン４５４に対応する放射線画像が表示される。撮影手技アイコン４５４は、白黒反転処理に対応するアイコンであるため、白黒反転処理が行われた放射線画像が画像表示領域４００に表示される。画像表示領域４００に表示された放射線画像に対応する撮影手技アイコン４５４は、色や形状の表示形態が変更されている。撮影手技アイコン４５４は白黒反転処理に対応するアイコンであるため、操作者は白黒反転処理された放射線画像が表示されていることを把握することができる。
【００７２】
撮影手技アイコン４４０のサムネイルには、放射線画像が表示されていないため、未撮影である。撮影手技アイコン４４０に関する撮影手技（頭部正面）では、通常の画像処理のみが実行されることとなっているため、撮影後に撮影手技アイコン４４０は分解（複製）されない。撮影手技アイコン４４０のサムネイルに放射線画像が表示される。撮影手技アイコン４４０は、複数の画像処理が設定されていないため、共通の撮影手技であることを示す識別情報４７０が表示されない。
【００７３】
なお、画像処理部２０２において通常の画像処理が行われ、通常の画像処理が行われた放射線画像が表示部１２４に表示された後に、放射線画像に対して複数の画像処理を行ってもよい。具体的には、通常の画像処理が行われた放射線画像が表示部１２４の画像表示領域４００に表示される。このとき、撮影手技アイコン４１４には、通常の画像処理が行われた放射線画像のサムネイルが表示される。そして、操作部１２２を介して、複数の画像処理が実行されることを示す複数画像処理アイコン４４２が選択されると、画像処理部２０２は、複数の画像処理、例えば、じん肺用処理と白黒反転処理を行う。そして、表示部１２４は、じん肺用処理に対応する撮影手技アイコン４５２と、白黒反転処理に対応する撮影手技アイコン４５４を表示する。表示部１２４は、じん肺用処理が行われた放射線画像、白黒反転処理が行われた放射線画像を表示することができる。つまり、複数画像処理アイコン４４２を押すという１回の操作によって、１つの放射線画像に対して複数の画像処理を行ない、それぞれの放射線画像を表示することができる。
【００７４】
図６は、複数の画像処理が設定された特定の撮影手技による撮影後の表示部１２４の表示画面を示す。図５では、画像表示領域４００には、撮影手技アイコン４５０、４５２、４５４の内、最も下に位置する撮影手技アイコン４５４に対応する放射線画像が表示された。ここでは、画像表示領域４００に表示される放射線画像を変更することができる。操作者が操作部１２２を用いて撮影手技アイコン４５０を選択すると、表示部１２４は通常の画像処理が行われた放射線画像を表示することができる。操作者が操作部１２２を用いて撮影手技アイコン４５２を選択すると、表示部１２４はじん肺用処理が行われた放射線画像を表示することができる。
【００７５】
図６では、撮影手技アイコン４５０に対応する放射線画像が表示されている。画像表示領域４００に表示された放射線画像に対応する撮影手技アイコン４５０は、色や形状の表示形態が変更されている。撮影手技アイコン４５０は通常の画像処理に対応するアイコンであるため、操作者は通常の画像処理が行われた放射線画像（オリジナル画像（原画像））が表示されていることを把握することができる。
【００７６】
図７は、放射線撮影システムにおける放射線画像の出力形態を示す図である。画像処理部２０２は、通常の画像処理を行った放射線画像は残したまま、白黒反転処理、じん肺用処理などを適用し、複数の放射線画像を生成する。そして、画像処理部２０２は、通常の画像処理が行われた放射線画像と、白黒反転処理が行われた放射線画像と、じん肺用処理が行われた放射線画像とを出力部２０６に伝達する。本実施形態では、画像処理部２０２は、通常の画像処理、白黒反転処理、じん肺用処理などの画像処理情報とともに複数の放射線画像を出力部２０６に伝達する。
【００７７】
また、画像処理設定部２０４によって、通常の画像処理以外の画像処理が設定されると、設定された画像処理に関する画像処理情報が関連付け設定部２０８に伝達される。例えば、画像処理設定部２０４によって、白黒反転処理、じん肺用処理が設定されると、画像処理設定部２０４から白黒反転処理、じん肺用処理の画像処理情報が関連付け設定部２０８に伝達される。つまり、画像処理設定部２０４において設定（追加）した画像処理に関する画像処理情報が関連付け設定部２０８に伝達される。なお、通常の画像処理については、全ての放射線画像に対して行われるため、関連付け設定部２０８に伝達する必要はない。
【００７８】
関連付け設定部２０８は、画像処理設定部２０４において設定（追加）した画像処理に関する画像処理情報を取得し、複数の画像処理された複数の放射線画像をグループとして関連付けるか否かの設定を行う。複数の画像処理が行われて生成された複数の放射線画像を関連付ける場合、複数の画像処理が行われて生成された複数の放射線画像に対して同じ付帯情報（タグ）を付与する。
【００７９】
ＰＡＣＳ１３４は、放射線撮影システムにおいて撮影された全ての放射線画像（通常の画像処理が行われた放射線画像を含む）を記憶する記憶装置７００を有している。出力部２０６は、複数の放射線画像を付帯情報とともにＰＡＣＳ１３４に出力する。ＰＡＣＳ１３４は、出力部２０６から出力された放射線画像を記憶する。ＰＡＣＳ１３４は、複数の画像処理が行われて生成された複数の放射線画像を関連付ける場合、画像処理部２０２によって複数の画像処理が行われた複数の放射線画像を同じ付帯情報とともに記憶する。
【００８０】
このように、複数の画像処理が行われた放射線画像が同じ付帯情報とともに記憶装置１３４に記憶されるため、操作者は付帯情報をもとに放射線画像を効率的に探すことができる。例えば、じん肺用処理が行われた放射線画像を探す際、通常の画像処理が行われた放射線画像も同時に探すことができる。
【００８１】
図８、９は、放射線撮影システムにおける放射線画像の記憶形態を示す図である。図８は、複数の画像処理が行われて生成された複数の放射線画像が関連付けられた記憶形態を示している。図９は、複数の画像処理が行われて生成された複数の放射線画像が関連付けられていない記憶形態を示している。
【００８２】
図８に示すように、複数の画像処理が行われて生成された複数の放射線画像が関連付られる場合、複数の画像処理が行われて生成された複数の放射線画像に対して同じ付帯情報（タグ）を付与する。本実施形態では、胸部正面の撮影手技に対して、同じ付帯情報（グループＡ）が付与される。記憶装置７００は、複数の放射線画像を同じ付帯情報（グループＡ）とともに記憶する。
【００８３】
操作者は、付帯情報について記憶装置７００に検索をかければ、複数の画像処理が行われて生成された複数の放射線画像を読み出すことができる。ここでは、通常の画像処理が行われた放射線画像と、じん肺用処理が行われた放射線画像と、白黒反転処理が行われた放射線画像を付帯情報（グループＡ）を元に読み出すことができる。操作者は、じん肺用処理が行われた放射線画像を用いて診断したい場合、通常の画像処理が行われた放射線画像を同時に確認することができる。
【００８４】
図９に示すように、複数の画像処理が行われて生成された複数の放射線画像が関連付けられない場合、複数の画像処理が行われて生成された複数の放射線画像に対して異なる付帯情報（タグ）を付与する。本実施形態では、胸部正面の撮影手技に対して、画像処理の種類ごとに異なる付帯情報（グループＸ、グループＹ、グループＺ）が付与される。記憶装置７００は、複数の放射線画像を異なる付帯情報（グループＸ、グループＹ、グループＺ）とともに記憶する。
【００８５】
操作者は、付帯情報（グループＸ）について記憶装置７００に検索をかければ、通常の画像処理（１つの画像処理）が行われた放射線画像を読み出すことができる。付帯情報（グループＹ）について記憶装置７００に検索をかければ、じん肺用処理が行われた放射線画像を読み出すことができる。また、付帯情報（グループＺ）について記憶装置７００に検索をかければ、白黒反転処理が行われた放射線画像を読み出すことができる。
【００８６】
次に、放射線撮影システムの動作を説明する。図１０は、放射線撮影システムの動作を示すフローチャートである。
【００８７】
（Ｓ１００）放射線撮影システムによる撮影前に、特定の撮影手技が選択される。操作者は、撮影手技として、例えば、プロトコル名：胸部正面、センサ名：センサＡを選択する。
【００８８】
（Ｓ１０２）選択された特定の撮影手技に対して、複数の画像処理を行うか否かが選択される。操作者は、選択された撮影手技に対して、通常の画像処理の他に、例えば、白黒反転処理、じん肺用処理を行うか否かを選択する。複数の画像処理を行わない場合、Ｓ１０４へ移行する。複数の画像処理を行う場合、Ｓ１１０へ移行する。
【００８９】
（Ｓ１０４）放射線撮影システムは、ＲＩＳ１３２から伝達される被検者の検査オーダに基づいて撮影を実行する。ここでは、放射線検出装置１０２、１１２は、放射線発生部１００、１１０から照射された放射線を撮影し、放射線画像を制御部１２０の画像取得部２００に出力する。画像取得部２００は、放射線検出装置１０２、１１２から出力される放射線画像（画像データ）を取得する。
【００９０】
（Ｓ１０６）画像処理部２０２は、画像取得部２００から出力される放射線画像に対して、通常の画像処理（画素値を濃度（輝度）に変換する階調変換など）を実行する。ここでは、１つの放射線画像に対して、１つの画像処理が行われ、１つの放射線画像が生成される。
【００９１】
（Ｓ１０８）出力部２０６は、通常の画像処理（１つの画像処理）が行われた放射線画像をＰＡＣＳ（記憶装置）１３４に出力する。ここで、通常の画像処理（１つの画像処理）を行う場合の放射線撮影システムの動作は終了する。
【００９２】
（Ｓ１１０）操作者は、画像処理設定部２０４を用いて、選択された撮影手技に対して複数の画像処理を設定する。操作者は、選択された撮影手技に対して、通常の画像処理の他に、例えば、白黒反転処理と、じん肺用処理を行うことを設定する。
【００９３】
（Ｓ１１２）関連付け設定部２０８は、複数の画像処理された複数の放射線画像をグループとして関連付けるか否かの設定を行う。関連付け設定部２０８は、複数の画像処理が行われて生成された複数の放射線画像を関連付ける場合、複数の画像処理が行われて生成された複数の放射線画像に対して同じ付帯情報（タグ）を付与する。
【００９４】
このように、Ｓ１１０とＳ１１２では、選択された撮影手技に対して、複数の画像処理を行う場合の画像処理の種類と複数の放射線画像の関連付けが設定される。これは、撮影前の事前設定である。
【００９５】
（Ｓ１１４）制御部１２０がＲＩＳ１３２から被検者の検査オーダを受信する。制御部１２０は、ＲＩＳ１３２（外部装置）から受信した被検者の検査オーダに含まれる撮影手技と、複数の画像処理が設定された撮影手技とが一致するか否かを判定する。このとき、制御部１２０は判定手段として機能する。複数の画像処理が設定された撮影手技は、撮影前に選択された撮影手技である。撮影手技が一致しない場合、Ｓ１０４へ移行する。撮影手技が一致する場合、Ｓ１１６へ移行する。
【００９６】
（Ｓ１１６）放射線撮影システムは、ＲＩＳ１３２から伝達される被検者の検査オーダに基づいて撮影を実行する。本実施形態では、放射線検出装置１０２、１１２は、放射線発生部１００、１１０から照射された放射線を撮影し、放射線画像を制御部１２０の画像取得部２００に出力する。画像取得部２００は、放射線検出装置１０２、１１２から出力される放射線画像（画像データ）を取得する。
【００９７】
（Ｓ１１８）画像処理部２０２は、画像処理設定部２０４で設定された画像処理情報に基づいて、放射線画像に対して複数の画像処理を行う。画像処理部２０２は、例えば、１つの放射線画像に対して通常の画像処理と、白黒反転処理と、じん肺用処理とを行う。本実施形態では、１つの放射線画像に対して、２つ以上の画像処理が行われ、２枚以上の放射線画像が生成される。
【００９８】
（Ｓ１２０）複数の画像処理が行われて生成された複数の放射線画像が関連付けられた場合、出力部２０６は、画像処理部２０２によって複数の画像処理が行われた複数の放射線画像を同じ付帯情報とともに出力する。ここで、複数の画像処理を行う場合の放射線撮影システムの動作は終了する。
【００９９】
以上、本発明における放射線撮影システム（制御装置）は、放射線に基づく放射線画像を取得する画像取得部２００と、特定の撮影手技に対して複数の画像処理を設定する画像処理設定部２０４と、特定の撮影手技で取得された放射線画像に対して、画像処理設定部２０４で設定された複数の画像処理を行ない、複数の放射線画像を生成する画像処理部２０２と、画像処理部２０２で生成された複数の放射線画像を関連付けるか否かを設定する関連付け設定部２０８とを備える。関連付け設定部２０８は、画像処理部２０２で生成された複数の放射線画像を関連付けることができる。
【０１００】
よって、放射線撮影システム（制御装置）は、複数の画像処理を行った複数の放射線画像を関連付けて記憶することができる。操作者は、複数の画像処理が行われた複数の放射線画像を関連付けて読み出すことができるため、診断効率を高めることができる。
【実施例２】
【０１０１】
次に、図１１、１２を用いて実施例２を説明する。実施例１と異なる点は、放射線画像を記憶する複数の記憶装置７１０、７１２を備え、関連付け設定部２０８は、記憶装置７１０、７１２ごとに複数の放射線画像の関連付けを設定する点である。
【０１０２】
図１１は、放射線撮影システムにおける放射線画像の出力形態を示す図である。ＰＡＣＳ１３４Ａ、１３４Ｂは、全ての放射線画像を記憶する機能を有している。ＰＡＣＳ１３４Ａ、１３４Ｂは、記憶装置７１０、７１２を備えている。
【０１０３】
図１２は、表示部１２４に表示される画像処理設定部２０４と関連付け設定部２０８の設定画面を示す。関連付け編集のメニュー３１４は、撮影手技（プロトコル名、センサ名）毎に設定される。
【０１０４】
関連付け編集のメニュー３１４は、１つの放射線画像に対して、複数の画像処理が行われる場合に設定が有効になる。本実施形態では、図１２に示すように、じん肺用処理を実行するためのアイコン３０４を押された場合、若しくは、白黒反転処理を実行するためのアイコン３０６が押された場合、関連付け編集のメニュー３１４の機能が有効になる。
【０１０５】
関連付け編集のメニュー３１４には、記憶装置（Ａ）７１０、記憶装置（Ｂ）７１２ごとに複数の画像処理で生成された複数の放射線画像を同じグループにするか否かを設定する関連付け設定アイコン３１８、３２０表示される。
【０１０６】
記憶装置（Ａ）７１０に対して、複数の画像処理で生成した複数の放射線画像を同じグループにするか否かを設定する関連付け設定アイコン３１８が表示される。図１２では、関連付け設定アイコン３１８にチェックが入れられているため、複数の画像処理で生成された複数の放射線画像を関連付けて、同じグループにするという設定が有効になっている。
【０１０７】
記憶装置（Ｂ）７１２に対して、複数の画像処理で生成した複数の放射線画像を同じグループにするか否かを設定する関連付け設定アイコン３２０が表示される。図１２では、関連付け設定アイコン３２０にチェックが外されているため、複数の画像処理で生成された複数の放射線画像を関連付けず、別のグループにするという設定が有効になる。
【０１０８】
このように、記憶装置７１０、７１２ごとに複数の放射線画像の関連付けを設定することができるため、放射線撮影システムの使用環境に応じて記憶形態を設定することができる。
【０１０９】
なお、複数の画像処理が行われて生成された複数の放射線画像が関連付られた場合、表示部１２４は複数の画像処理が行われて生成された複数の放射線画像を順に表示することができる。つまり、表示部１２４は複数の放射線画像を所定時間ごとに切り替え、マルチフレームの動画のように表示することができる。そのため、操作者は操作部１２２を操作することなく、複数の画像処理による複数の放射線画像を確認することができる。
【０１１０】
本発明は、１以上の機能（特に複数の画像処理と画像出力）を実現するプログラムを、ネットワーク又は記憶媒体を介して制御装置に供給し、その制御装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１１１】
１００  放射線発生部
１０２  放射線検出装置
１０４  撮影台
１０６  被検者
１１０  放射線発生部
１１２  放射線検出装置
１１４  撮影台
１１６  被検者
１２０  制御部
１２２  操作部
１２４  表示部
１３０  ネットワーク
１３２  ＲＩＳ
１３４  ＰＡＣＳ
１３６  ＨＩＳ
２００  画像取得部
２０２  画像処理部
２０４  画像処理設定部
２０６  出力部
２０８  関連付け設定部
【図１】
2020069326.tif 000003
【図２】
2020069326.tif 000004
【図３】
2020069326.tif 000005
【図４】
2020069326.tif 000006
【図５】
2020069326.tif 000007
【図６】
2020069326.tif 000008
【図７】
2020069326.tif 000009
【図８】
2020069326.tif 000010
【図９】
2020069326.tif 000011
【図１０】
2020069326.tif 000012
【図１１】
2020069326.tif 000013
【図１２】
2020069326.tif 000014